(57)【要約】【課題】油絵や日本画などに適した額縁が安価に製造できるようにする。また、重量のある展示物でも良好に吊り下げられるようにする。【解決手段】厚みのある展示物Ｘを収納保持するために油額１１の額本体２１の裏面に固定されるドロ足３１を、射出成形による一括成形で、中抜き部分を有する枠状に形成する。また、ドロ足３１には、直接または間接的に、油額１１を吊り下げるための吊り紐などを引っ掛ける部分（吊り部３８）を形成する。ドロ足３１は射出成形により形成されるので、板状の部分を組み合わせたような断面形状にすることができ、使用する材料を低減することが可能である。また、中実構造のドロ足の場合と異なり、吊り紐などを引っ掛ける部分が容易に得られるので、コストを抑えることが可能である上に、重量物でも吊り下げられる強度の高い引っ掛け部分を得ることもできる。【選択図】図１
2008167812.tif 000002
【特許請求の範囲】
【請求項１】
額縁における額本体の背面に取り付けられるドロ足であって、
射出成形で形成された
ドロ足。
【請求項２】
額縁を吊り下げるための吊り下げ具を引っ掛ける引っ掛け部が一体に設けられた
請求項１に記載のドロ足。
【請求項３】
前記ドロ足が、射出成形による一括成形で枠状に形成された
請求項１または請求項２に記載のドロ足。
【請求項４】
前記請求項１から請求項３のうちのいずれか一項に記載のドロ足を取り付ける額縁であって、
上記ドロ足における吊り金具を取り付ける取り付け位置に、開口穴部が形成されるとともに、
該開口穴部を通して突出する吊り部を有した吊り金具が、ドロ足および／または額本体に固定された
額縁。
【発明の詳細な説明】
【技術分野】
【０００１】
この発明は、油絵や日本画などに適した額縁（油額、日本画額）に関し、より詳しくは、安価に製造できる額縁に関する。
【背景技術】
【０００２】
上述のような額縁は、棹を枠状に組み上げた額本体と、該額本体の背面に固定されて厚みを出すためのドロ足と、額本体の内側に収められて展示物を展示物の表面がガラスに接触しないように保持するとともに、装飾を行うライナとを有する。ドロ足やライナは、額本体と同様に、棹状の材料を枠状に組み上げられて形成される。また、ライナの打ち抜き部分の端面には、展示物を際立たせたりするために、金や銀などの縁取りをつける面金加工が施されていた。さらに、枠本体の背面とドロ足と裏板には、緑色の紙が貼り付けられる。
【０００３】
このように一般的な賞状額やデッサン額、水彩額などが、額本体のほかにマットを必要とする程度の構造であるのに対して、油額等は部品点数が多く、組み上げ作業や別途の加工も必要であって、コストがかかる。
【０００４】
このため、下記特許文献１のように額本体を構成する棹に、ドロ足やライナを一体化してコストの低減を図っていた。
【０００５】
しかし、ドロ足やライナは、木材の削り出しか合成樹脂の押し出しで製造されるものであって、中実構造であるので、材料が多く必要となる。このため、コストの低減には限界があった。また、ドロ足やライナを組み上げる手間や面金加工も必要であって、この点からもコストがかかっていた。
【０００６】
さらに、額縁にはこれを吊り下げるために紐やワイヤなどを引っ掛けるための部分が必要であるが、この引っ掛け部分は、下記特許文献２などに開示されているような、別体の金具を額縁の裏面にねじ止めすることで形成されていた。
【０００７】
しかし、ねじ止めする手間がかかる上に、止める位置を左右で同じにすることが難しく、位置がずれてしまうことが多々ある。また、額縁を吊り下げたときに荷重がねじ部分に集中するので、油額などのような重量物の場合には、その重量に耐え切れない場合がある。上述のようにドロ足やライナが中実であることは、このような問題点を助長することにもなっていた。
【０００８】
【特許文献１】登録実用新案第３０８４７５１号公報
【特許文献２】登録実用新案第３０４５３０７号公報
【発明の開示】
【発明が解決しようとする課題】
【０００９】
そこで、この発明は、油額のような額縁をより安価に製造できるようにすることを主たる課題とする。また、額縁を吊り下げるための良好な引っ掛け部が得られるようにすることも課題とする。
【課題を解決するための手段】
【００１０】
そのための手段は、額縁における額本体の背面に取り付けられるドロ足であって、射出成形で形成されたドロ足である。
【００１１】
別の手段は、上記のドロ足を取り付ける額縁であって、上記ドロ足における吊り金具を取り付ける取り付け位置に、開口穴部が形成されるとともに、該開口穴部を通して突出する吊り部を有した吊り金具が、ドロ足および／または額本体に固定された額縁である。
【００１２】
すなわち、ドロ足は、射出成形で形成されるので、自ずとその肉厚も制限され、中空、または板状の部分を組み合わせたような形状に形成されることになる。この結果、使用する材料を少なくすることができて、コストの低減を図ることが可能である。
【００１３】
また、射出成形による一括成形で枠状に形成すれば、枠状に組み上げる手間を省略することが可能で、さらなるコストの低減を図ることができる。
【００１４】
ドロ足は射出成形で形成するので、額縁を吊り下げるための吊り下げ具を引っ掛ける引っ掛け部を一体に形成することができ、別体の吊り金具を取り付ける作業が不要であり、また取り付け位置がずれてしまうこともなく、重量物でも支えられる高強度の吊り下げ部を得ることができる。
【００１５】
さらに、吊り部を有する吊り金具をドロ足や額本体に固定すると、吊り金具自体の性状を、額縁の吊り下げに際して機能させることができる。たとえば吊り金具が金属製であれば、剛性を有し摩耗にも耐え得るような高強度の吊り構造（引っ掛け部）を得ることが可能となる。
【発明の効果】
【００１６】
以上のように、この発明によれば、ドロ足を射出成形で形成することによって、コストの低減を図ることができる。また、重量のある展示物でも吊り下げられるようにすることもできる。
【発明を実施するための最良の形態】
【００１７】
この発明を実施するための一形態を、以下図面を用いて説明する。  
図１は、額縁の一例としての油額１１の要部を示す断面図であり、図２は油額１１の正面図、図３は、油額１１の一部を分離した状態の背面図である。
【００１８】
油額１１は、棹２１ａを枠状に組み上げた額本体２１と、額本体２１の背面に固定されて厚みを出すための枠状のドロ足３１と、額本体２１の内側に納められるガラス等の透明板４１と、額本体２１の内側における透明板４１の背面側に収められるライナ５１と、ライナ５１の背面側でライナ５１に保持された展示物（カンバス）Ｘ、ライナ５１及び透明板４１を背面側から押える裏板６１とを有する。
【００１９】
上記のライナ５１は、展示物Ｘを展示物Ｘの表面が透明板４１に接触しないように保持するとともに、展示物Ｘの装飾を行うものである。また、上記の裏板６１を固定するためのトンボなどの止め具や油額１１を吊るすための吊り金具は、上記ドロ足３１に直接または間接的に設けられる。
【００２０】
額本体２１は、合成樹脂の押し出し成形や木材の削り出し等で形成された長尺の材料を油額１１の大きさに合わせて切断して得た棹２１ａから得られる。つまり、両端面に４５度の傾斜面を有する所定長さの棹２１ａを、接着とＶネイルの打ち込みにより連結して枠状に形成する。
【００２１】
額本体２１の内周縁には、内周側に突出する突出縁２２を有し、収納される上記の透明板４１を受ける。また、額本体２１の背面は平坦に形成され、表面側は、内流れ、外流れ、平型、かまぼこ型などの適宜の形状に形成されるとともに、適宜の装飾も施される。
【００２２】
ドロ足３１は、額本体２１の背面から背面側に向けて突出するように設けられるもので、額本体２１と同様に枠状をなす。ドロ足３１の内周縁の大きさは、額本体２１の背面の内周縁と同一の大きさに設定され、額本体２１の背面にドロ足３１を固定した状態で上記の透明板４１等をはめ込めるように構成されている。
【００２３】
また、ドロ足３１は、合成樹脂の射出成形による一括成形で形成され、内外に平行な２枚の板壁、すなわち内側板壁３２と外側板壁３３と、これらを連結する背板３４とを有する断面横コ字形の中空状をなす。このドロ足３１は、額本体２１の背面に対して固定ねじ部材３５により固定される（図１、図４、図６参照。）。図１、図７中、３６は、固定ねじ部材３５を挿通可能な筒状の脚部である。
【００２４】
このようなドロ足３１には、図４に示したように、上記の裏板６１を押えるための止め具３７（図１参照）が適宜箇所に回転可能に固定される。また、吊り金具３８を固定するために、背板３４の所定位置に開口穴部３４ａが形成されている。開口穴部３４ａの形成位置は、図３に示したように、油額１１を縦長及び横長にしたときに上側に位置する部分におけるる左右２箇所ずつの合計４箇所である。これらの開口穴部３４ａの内側には、図５に示したような吊り金具３８が保持される。
【００２５】
吊り金具３８は、帯状の金属板を折曲して形成され、全体として略門形をなし、上端における幅方向中間部に、上へ突出する吊り部３８ａを有する。吊り部３８ａの幅は、上記開口穴部３４ａを通る大きさに設定されている。また、吊り部３８ａの下から左右方向に延びる部分は、図６（ａ）に示したように開口穴部３４ａの口縁部の下側面に当接する段部３８ｂ，３８ｂである。
【００２６】
吊り金具３８の両下端部には、その幅方向の中間位置で真っ直ぐに延びる直線板部３８ｃと、この直線板部３８ｃの両側に位置して外方に若干反り返る抜け止め部３８ｄ，３８ｄとを有する。このような形状の両下端部は、ドロ足３１の開口穴部３４ａの近傍に形成された２枚の隔壁３９，３９間の空間に、下方からの押し込みで固定される。
【００２７】
すなわち、この吊り金具３８は、ドロ足３１の開口穴部３４ａの内側であって隔壁３９，３９に挟まれた空間に固定され、吊り金具３８を一体化したドロ足３１は、額本体２１に対して固定される。
【００２８】
そして、このようにして固定された吊り金具３８の吊り部３８ａ、換言すればドロ足３１に間接的に設けられた吊り部３８ａには、図７に示したように、油額１１を吊り下げるための吊り下げ具としての吊り紐Ｙ等が取り付けられる。
【００２９】
なお、図６（ｂ）に示したように、吊り金具３８の両下端部を額本体２１に対して刺入して固定できる尖鋭の刺入部３８ｅとして、吊り金具３８自体が額本体２１に対して固定できるように構成するもよい。
【００３０】
すなわち、この吊り金具３８は、ドロ足３１の開口穴部３４ａの内側に保持した状態のまま、その両下端部の刺入部３８ｅを額本体２１の背面に固定した後、ドロ足３１を額本体２１に対して固定することにより、その段部３８ｂ，３８ｂが上から押えられ、額本体２１に対する固定状態が保持される。
【００３１】
また、ドロ足３１には、図８に示したように、油額１１を吊り下げるための吊り下げ具を引っ掛ける引っ掛け部を一体に形成することもできる。図８（ａ），（ｂ）は、ドロ足３１の背板に、引っ掛け部として背面側に突出する偏平な環状部３４ｂが設けられた例である。図８（ａ）と（ｂ）とでは環状部３４ｂの開口向きを異にしている。図８（ｃ）は、引っ掛け部が長孔３４ｃで形成された例である。この長孔３４ｃからなる引っ掛け部には、フック状の吊り下げ部材（図示せず）を直接引っ掛けて油額１１を吊り下げる。図８（ｄ）は、引っ掛け部が、厚み方向に貫通する２個の透孔に挟まれて構成される係留部３４ｄで形成された例である。このほか、引っ掛け部は、内側板壁３２や外側板壁３３に設けられるものでもよく、その形態にはさまざまなものが採用できる。
【００３２】
透明板４１は、上記の額本体２１における突出縁２２の背面側に引っ掛かる大きさに形成されている。
【００３３】
ライナ５１は、図９に示したように、枠状をなすライナ本体５２の内周縁に、枠状をなす面金部材５３を取り付けて構成される。
【００３４】
ライナ本体５２は、断面略Ｌ字状に形成され、内外方向に広がりを有する板状の表面板部５２ａと、表面板部５２ａの背面側に突出して展示物Ｘを保持する板状の延設保持部５２ｂとを有する。表面板部５２ｂは、内周側ほど背面側に向けて傾斜するように形成され、延設保持部５２ｂには、その内周側の位置から延設されている。延設保持部５２ｂは、展示物Ｘを収納保持可能な大きさである。
【００３５】
また、ライナ本体５２は合成樹脂の射出成形で一括成形され、表面板部５２ａも延設保持部５２ｂも、一繋がりの一体の枠状をなす。
【００３６】
そして、ライナ本体５２は、成形されたままでもよいが、好ましくは、図１０（ａ）に例示したように、表面板部５２ａに対して塗装等の適宜手段で装飾を施すとよい。図１０（ｂ）は、麻布５４を貼り付けて装飾した例である。麻布５４のほか、例えばラシャ、高級水彩紙、和紙などを利用することもできる。
【００３７】
また、表面板部５２における延設保持部５２ｂよりも内周側の部分には、断面Ｌ字状をなす取り付け段部５５が形成され、この取り付け段部５５に、上記の面金部材５３が固定される。取り付け段部５５の適宜位置には、図３、図９に示したような切欠部５５ａが油額１１の大きさにあわせて適宜形成され、面金部材５３の取り付けに備えている。
【００３８】
面金部材５３は、ライナ５１の中抜き部分の縁取りであり、展示物Ｘに応じて展示物Ｘを引き立たせ見栄えを良くするためのものである。
【００３９】
面金部材５３も、合成樹脂の射出成形により一括成形され、ライナ本体５２の取り付け段部５５の垂直な面に重合する垂直片５３ａと、この垂直片５３ａの上端から適宜の形状に延設されて取り付け段部５５の下端面位置まで延びる表装部５３ｂとを有する。この面金部材５３は、ライナ本体５２とは異なる外観に形成される。成形された状態のままでもよいが、少なくとも表装部５３ｂに対して塗装や貼り付け等の適宜手段により金、銀、その他の装飾を施すとよい。
【００４０】
また、上記の垂直片５３ａにおける上記の切欠部５５ａに対応する部位の下端には、垂直片５３ａの外側面よりも外周側に突出する係止爪５３ｃが一体に垂設されている。
【００４１】
すなわち、面金部材５３をライナ本体５２に固定するには、面金部材５３を取り付け段部５５に対して上からはめ込んで、図４に示したように係止爪５３ｃを切欠部５５ａの縁に係止さればよい。
【００４２】
なお、図１１は、他の例に係るライナ本体５２の形状を示す断面図であり、この図に示すように、ライナ本体５２には、上記の延設保持部５２ｂのほかに、ライナ５１の外周縁位置に、延設保持部５２ｂと平行で下端（先端）位置が同一高さの延設外壁部５２ｃを一体に設けることもできる。このような延設外壁部５２ｃを設けると、裏板６１で押圧されたときに、傾斜している表面板部５２ａに曲げ力が働くことを阻止できる。このため、展示物Ｘを強力に保持した場合でも、万が一にもライナが変形を来たすことはなく、良好な展示状態が得られる。
【００４３】
裏板６１は、ライナ５１の中抜き部分に対応する大きさで、ライナ５１と展示物Ｘを押圧保持可能とする剛性を有するように形成されている。
【００４４】
このように構成された油額１１では、額本体２１に対して、展示物Ｘの厚みに応じた高さを有するドロ足３１が選択されて固定される。また、展示物Ｘに応じて、これを引き立たせ豪華に見せたりして見栄えを良くするようなライナ５１、すなわちライナ本体５２と面金部材５３が選択されて透明板４１とともに、額本体２１内に収納される。そして、ライナ５１の中抜き部分には、展示物Ｘを保持し、裏板６１を背面側から当てて、止め具３７を利用して展示物Ｘの収納状態を保持するとともに、ドロ足３１の背面から突出した吊り金具３８の吊り部３８ａに吊り紐Ｙを引っ掛けるなどして所望位置に展示する。
【００４５】
この油額１１は、ドロ足３１もライナ５１も、合成樹脂の射出成形による一括成形で形成されているので、その形態は自ずと上述したような板状の部分を組み合わせたような中空状のものとなり合成樹脂材料の使用量を低減させることができる。このため、低コスト化や軽量化が図れる。また、一括成形で形成するので、組立ての手間を省き、この点でも低コスト化を図ることができる。
【００４６】
しかも、ドロ足３１は射出成形により形成するので、さまざまな形状の引っ掛け部を直接または間接的に設けることもできる。このため、展示物Ｘや吊り方などの諸条件に応じて適切な引っ掛け部を適宜得ることが可能である。また、引っ掛け部の位置がずれることはなく、バランスの良い吊り下げが容易に行える。
【００４７】
たとえば、上記の図６（ａ）のような形状をなす別体の吊り金具３８を、開口穴部３４ａを有するドロ足３１と組み合わせて、金属製の吊り部３８ａを間接的に設けることによって、強度の高い吊り部３８ａを得ることができる。
【００４８】
また、上記の図６（ｂ）のような形状をなす別体の吊り金具３８を、開口穴部３４ａを有するドロ足３１と組み合わせて、吊り金具３８を額本体２１に対して固定したうえで、ドロ足３１を固定することによって、吊り金具３８の段部３８ｂが上から押さえつけられた状態で固定する構造とすることができる。つまり、吊り金具３８が二重に固定されることとなって固定強度を高めることができる。この結果、展示物Ｘの重量が重い場合でも耐え得るような高強度の吊り構造を得ることが可能である。しかも、吊り金具３８の両下端部は、額本体２１に対して差し込んで固定する構造であるので、ドロ足３１と組み合わせての固定が作業性よく行える。
【００４９】
上記の図８に示したように、引っ掛け部としての環状部３４ｂや長孔３４ｃ、係留部３４ｄを直接、つまり一体に設けると、部品点数を低減して組立ての手間を省くことができるので、製造にかかるコストをさらに抑えることができる。
【００５０】
また、ライナ５１は、ライナ本体５２と面金部材５３との組み合わせで構成するので、従来のような面金加工を不要にすることができ、そのうえ、これまでにないカラフルなライナ５１や、展示物Ｘをさらに引き立たせるライナを得ることを容易にすることができる。このため、コストが低く、展示物Ｘの高い装飾作用を有するようなライナ５１を得られる。
【００５１】
この発明の構成と、上記一形態の構成との対応において、
この発明の額縁は、上記一形態の油額１１に対応し、  
以下同様に、  
吊り下げ具は、吊り紐Ｙに対応し、  
引っ掛け部は、環状部３４ｂ、長孔３４ｃ、係留部３４ｄに対応するも、  
この発明は、上記一形態の構成のみに限定されることはなく、その他の様々な形態を採用することができる。
【００５２】
たとえば、ドロ足３１やライナ５１は、棹状の材料を連結して構成するもよい。その棹状の材料には中空パイプ状のものを使用することもできる。
【００５３】
また、面金部材５３は、枠状ではなく棒状に形成して、複数の面金部材を別々にライナ本体５２に対して固定するように構成するもよい。
【００５４】
さらに、止め具３７には、上述例のようなトンボ状のもの以外にも、展示物の重量に応じて様々なものを使用できる。
【図面の簡単な説明】
【００５５】
【図１】油額の要部を示す断面図。
【図２】油額の正面図。
【図３】油額１１の一部を分離した状態の背面図。
【図４】図３の部分拡大図。
【図５】吊り金具の斜視図。
【図６】額本体とドロ足の断面図。
【図７】油額の吊り金具部分における断面図。
【図８】ドロ足の一部を示す斜視図。
【図９】ライナの分解斜視図。
【図１０】ライナ本体の斜視図。
【図１１】他の例に係るライナを用いた油額の部分断面図。
【符号の説明】
【００５６】
１１…油額
２１…額本体
３１…ドロ足
３４ａ…開口穴部
３４ｂ…環状部
３４ｃ…長孔
３８…吊り金具
３８ａ…吊り部
３８ｂ…段部
Ｙ…吊り紐
【図１】
2008167812.tif 000003
【図２】
2008167812.tif 000004
【図３】
2008167812.tif 000005
【図４】
2008167812.tif 000006
【図５】
2008167812.tif 000007
【図６】
2008167812.tif 000008
【図７】
2008167812.tif 000009
【図８】
2008167812.tif 000010
【図９】
2008167812.tif 000011
【図１０】
2008167812.tif 000012
【図１１】
2008167812.tif 000013